(57)【要約】オストミー連結が浮揚性の連結部を備えて開示される。連結部は、浮揚性の態様で連結部の移動を可能にする柔軟な支持環によって粘着性ウエハに対して支持される。柔軟な支持環はプラスティックフィルムを備え、双安定な形状を有する。環は、（ｉ）オストミー装具が押されて連結部に嵌合させられるときの取り付け力を軽減するために、オストマットが手で連結部を支持することを容易にするように、粘着性ウエハから距離を置かれた、拡張させられた位置、および（ｉｉ）粘着性ウエハに接近した、収縮させられた位置において、連結部を安定的に保持するように構成される。
2010536440.tif 000002
【特許請求の範囲】
【請求項１】
オストミー装具を身体装備に取り外し可能に取り付ける、オストミー連結のための浮揚性の連結ユニットであって、該浮揚性の連結ユニットは、
相補的な装具側連結部に取り外し可能に取り付けるための連結部と、
該連結部を支持するために該連結部から拡張する柔軟な支持環であって、該柔軟な支持環は該連結部の浮揚性の移動を可能にし、（ｉ）拡張させられた位置および（ｉｉ）収縮させられた位置において該連結部を安定的に保持するように構成される、柔軟な支持環と
を備える、連結ユニット。
【請求項２】
前記柔軟な支持環は前記拡張させられた位置にあるときにフレアのついた形状を有するように構成される、請求項１に記載の浮揚性の連結ユニット。
【請求項３】
前記フレアのついた形状は実質的に円錐台である、請求項２に記載の浮揚性の連結ユニット。
【請求項４】
前記柔軟な支持環は、収縮させられた位置にあるときに波状の形状を有するように構成され、該波状の形状は少なくとも１つの波状プリーツを備える、請求項１に記載の浮揚性の連結ユニット。
【請求項５】
前記柔軟な支持環は、実質的に同一の直径の端を有する、請求項１に記載の浮揚性の連結ユニット。
【請求項６】
前記柔軟な支持環は、（ｉ）前記拡張させられた位置にあるときの拡張された管、（ｉｉ）前記収縮させられた位置にあるときの折りたたまれた管のうちの１つ以上のものとして選択される構成を有する、請求項１に記載の浮揚性の連結ユニット。
【請求項７】
前記柔軟な支持環は、該柔軟な支持環の自然の形状として所定の形状に形成され、該所定の形状は前記拡張させられた位置および前記収縮させられた位置に対する形状のうちの１つである、請求項１に記載の浮揚性の連結ユニット。
【請求項８】
前記柔軟な支持環は、前記拡張させられた位置および前記収縮させられた位置に対する前記形状の少なくとも１つにおいて、該柔軟な支持環の該材料の内部応力によって、それ自身を安定的に保持する、請求項１に記載の浮揚性の連結ユニット。
【請求項９】
前記柔軟な支持環は双安定な形状を有する、請求項１に記載の浮揚性の連結ユニット。
【請求項１０】
前記柔軟な支持環はプラスティックフィルムから形成される、請求項１に記載の浮揚性の連結ユニット。
【請求項１１】
前記プラスティックフィルムは、エチレンビニルアセテート共重合体（ＥＶＡ）、ポリエチレン（ＰＥ）、またはメタロセンから成る群から選択される、請求項１０に記載の浮揚性の連結ユニット。
【請求項１２】
前記プラスティックフィルムは、約０．００２インチと０．０２０インチとの間にある厚さを有する、請求項１０に記載の浮揚性の連結ユニット。
【請求項１３】
前記柔軟な支持環は、所定の力が加えられるとき前記安定した形状間で反転するように構成される、請求項１に記載の浮揚性の連結ユニット。
【請求項１４】
オストミー連結であって、
自身を貫通するオリフィスを有する装具側の連結部と、
自身を貫通するオリフィスを有する身体装備側の連結部と、
該身体装備側の連結部を支持するために該身体装備側の連結部から拡張する柔軟な支持環であって、該柔軟な支持環は該身体装備側の連結部の移動を可能にし、（ｉ）該連結部が押されてかみ合うときの取り付け力を軽減するためにユーザーが手で該身体装備側の連結部を支持することを可能にする、拡張させられた位置、および（ｉｉ）収縮させられた位置において、該身体装備側の連結部を安定的に保持するように構成される、柔軟な支持環と
を備える、オストミー連結。
【請求項１５】
前記連結部は機械的なかみ合い、または粘着性のかみあいによって互いに取り外し可能に取り付け可能である、請求項１４に記載のオストミー連結。
【請求項１６】
オストミー装具を取り外し可能に装着するためのオストミー身体装備であって、該身体装備は、
皮膚への粘着性の取り付けのための粘着性ウエハと、
オストミー装具の相補的な連結部に取り外し可能に取り付けるための連結部と、
該粘着性ウエハに対して該連結部を支持するための柔軟な支持環であって、該柔軟な支持環は該連結部から拡張しており、該粘着性ウエハに直接的にまたは間接的に結合されており、該柔軟な支持環は該粘着性ウエハに対する該連結部の浮揚性の移動を可能にしており、（ｉ）拡張させられた位置、および（ｉｉ）収縮させられた位置において、該連結部を安定的に保持するように構成される、柔軟な支持環と
を備える、オストミー身体装備。
【請求項１７】
前記収縮させられた位置において、前記柔軟な支持環は前記連結部を前記粘着性ウエハに直接的にまたは間接的にもたれるように保持する、請求項１６に記載のオストミー身体装備。
【請求項１８】
オストミー身体装備の粘着性ウエハに対して浮揚性の態様で連結部を支持する方法であって、
該方法は、
該粘着性ウエハと該連結部との間に柔軟な支持環を提供することを含み、該柔軟な支持環は、該粘着性ウエハに対する該連結部の浮揚性の移動を可能にしており、（ｉ）拡張させられた位置、および（ｉｉ）収縮させられた位置において、該連結部を安定的に保持するように構成される、方法。
【請求項１９】
オストミー連結の連結部のための双安定な支持であって、該双安定な支持は、直通の通路ならびに第１および第２のインターフェイス領域を有しており、該第１のインターフェイス領域は該連結部に接続されており、該第２のインターフェイス領域は粘着性ウエハに直接的にまたは間接的に固定されているかまたは固定可能であり、該双安定な支持は、（ｉ）該第１および第２のインターフェイス領域が該直通の通路の軸方向に実質的に離れる方向に距離を置かれる、拡張させられた位置、および（ｉｉ）該第１および第２のインターフェイス領域が該軸方向にともにより接近して位置している、収縮させられた位置において、該連結部を安定的に保持するように構成されている、双安定な支持。
【請求項２０】
前記双安定な支持は、柔軟な支持環を備える、請求項１９に記載の双安定な支持。
【請求項２１】
前記第１および第２のインターフェイス領域は、（ｉ）前記柔軟な環の内側および外側の円周の一方または他方、ならびに（ｉｉ）管状の柔軟な環の対向する端から成る群から選択される、請求項２０に記載の双安定な支持。
【発明の詳細な説明】
【技術分野】
【０００１】
（本発明の分野）
本発明は、オストミー装具を、オストマットの身体の上に着用される身体装備に取り外し可能に取り付けるためのオストミー連結に関する。１つの形態において、本発明は浮揚性の連結部を有する身体装備を提供することに関する。
【背景技術】
【０００２】
（本発明の背景）
特許文献１、特許文献２、特許文献３、特許文献４、および特許文献５は、２つの連結部が互いに押されるときに身体装備を介して皮膚に加えられる取り付け力の結果として一部のオストマットが経験する苦痛を軽減するために設計されるオストミー連結を教示する。苦痛の問題は特に、ストーマの外科手術が行われたばかりで腹部の皮膚が非常に傷つきやすい、手術後の患者管理の間において重要である。これらの文書は、粘着性ウエハと身体装備の連結部との間に恒久的に固定された柔軟な環のサスペンションを教示する。柔軟な環は、装具が身体装備に対して押されるときの取り付け力に対抗して連結部を手で支持するために、少なくとも、ユーザーが連結部の裏側に１本以上の指を挿入するに十分な量によって、連結部が粘着性ウエハに対して離れる方向に移動させられる、または「浮揚する」ことを可能にする。そのような連結部は浮揚する連結部として概して従来技術において参照される。
【０００３】
この技術は、手術後の患者管理の間、傷つきやすい腹部の皮膚への取り付け力の伝達を軽減することに成功している一方で、この様式の連結を日々の使用に対する理想には足りないものにしているいくつかの不都合がある。これらは以下を含む。すなわち、（１）システムのプロファイルは、増加した厚さのために柔軟な環のない類似のシステムよりも高い。（２）柔軟な環は、ポーチがウエハ表面から離れる方向に浮揚することを可能にするために目に見えるように提供されるので、装具が粘着性ウエハから離れる方向にたわむ傾向がある。そのようなたわみを軽減して低プロファイルを維持するために、柔軟な環の堅さを増加させることは可能である。しかしながら、環がより堅くなれば、粘着性ウエハから連結部を離れる方向に移動させ、移動された位置に連結部を維持するためにオストマットが加えなくてはならない力はより大きくなる。これはオストマット、特に年配のオストマットまたは器用でないオストマットにとっては不便である。より重要なことに、ウエハから連結部を引いて保持するときに連結部に加えられる、増加した力の少なくとも一部は、必然的に下の傷つきやすい皮膚に伝えられ、苦痛を軽減する代わりに苦痛を増加させるリスクを伴う。従来技術の設計に関するこれらの問題は、問題が、浮揚する連結部の２つの厄介な対立する願望の結果であるがゆえに、容易に解決されて浮揚する連結部のアイデアについてのオストマット賛同を増加させることにはなり得ない。
【０００４】
本発明は上記に耐えることを念頭に発明された。
【先行技術文献】
【特許文献】
【０００５】
【特許文献１】米国特許第４，４１９，１００号明細書
【特許文献２】米国特許第４，６１０，６７６号明細書
【特許文献３】米国特許第４，６１０，６７７号明細書
【特許文献４】米国特許第５，７３０，７３５号明細書
【特許文献５】米国特許第５，３１２，３８２号明細書
【発明の概要】
【課題を解決するための手段】
【０００６】
（本発明の概要）
１つの局面において、本発明は浮揚性の連結部を備えるオストミー連結を提供する。連結部は、浮揚性の態様で連結部を移動させることを可能にする柔軟な支持環によって、粘着性ウエハに対して支持される。柔軟な環は、プラスティックフィルムを備え、双安定な形状を有する。柔軟な環は、（ｉ）オストミー装具が押されて連結部に嵌合させられるときの取り付け力を軽減するために、オストマットが手で連結部を支持することを容易にするように、粘着性ウエハから距離を置かれた、拡張させられた位置、および（ｉｉ）粘着性ウエハに接近した、収縮させられた位置において、連結部を安定的に保持するように構成される。
【０００７】
そのような双安定な支持の使用は、従来技術の対立する願望を解決し得る。収縮させられた位置において、支持は連結部を粘着性ウエハに接近して保持し得、たわむことに抵抗して低プロファイル高さを維持する。拡張させられた位置において、支持は、維持されるために要求される、下の皮膚にとって不快であり得る引っ張り力なくして、連結部を粘着性ウエハから距離を置いて保持し得る。柔軟な支持環はプラスティックフィルムから形成され得、それゆえにオストミー器具のコストを実質的に増加させることなく製造できて経済的である。
【０００８】
別の局面において、本発明は概してオストミー連結の連結部のための双安定な支持を提供し、双安定な支持は、直通の通路ならびに第１および第２のインターフェイス領域を有する。第１のインターフェイス領域は連結部に接続されている。第２のインターフェイス領域は粘着性ウエハに直接的にまたは間接的に固定されているかまたは固定可能である。双安定な支持は、（ｉ）第１および第２のインターフェイス領域が直通の通路の軸方向に実質的に離れる方向に距離を置かれる、拡張させられた位置、および（ｉｉ）第１および第２のインターフェイス領域が直通の通路の軸方向にともにより接近して位置している、収縮させられた位置において、連結部を安定的に保持するように構成されている。双安定な支持は、オプションとして柔軟な環を備え得る。第１および第２のインターフェイス領域は、オプションとして柔軟な環の内側および外側の円周の一方または他方を備え得る。
【０００９】
本明細書に用いられるように、用語「取り外し可能に取り付ける」およびその派生語は、２つの連結部が取り付け可能で取り外し可能であることを意味し、手によって加えられる力を用い、どちらのパーツも破壊を伴わない。用語「浮揚性の」は、連結部が粘着性ウエハに向かってまたは粘着性ウエハから離れる方向に移動可能であり、粘着性ウエハを介して加えられている取り付け力を軽減するために、ユーザーが手でその連結部を支持するためのスペースを生成することを意味する。
【００１０】
最も重要であると考えられる特徴が上記の説明の中で、および添付の特許請求の範囲の中で強調される一方で、出願人は本明細書および／または本発明の図に開示される任意の新しい特徴または考えに対する特許請求の範囲の保護を、主眼点がその上に置かれるか否かにかかわらず、要求し得る。
【図面の簡単な説明】
【００１１】
【図１】図１は、オストミー身体装備における本発明の第１の実施形態の概略平面図である。
【図２】図２は、図１のラインＡ−Ａに沿った概略断面図であり、収縮させられた連結部を示す。
【図３】図３は、図１のラインＡ−Ａに沿った概略断面図であり、拡張させられた連結部を示す。
【図４】図４は、図１の身体装備に取り付け可能なオストミーポーチ装具を介しての概略断面図である。
【図５】図５は、オストミー連結アダプタの形態をとる本発明の第２の実施形態を介しての概略断面図であり、収縮させられた連結部を示す。
【図６】図６は、身体装備に取り付けられた第２の実施形態を介しての概略断面図であり、拡張させられた連結部を示す。
【図７】図７は、オストミー連結アダプタの形態をとる本発明の第３の実施形態を介しての概略断面図であり、収縮させられた連結部を示す。
【図８】図８は、第３の実施形態を介しての概略断面図であり、拡張させられた連結部を示す。
【図９】図９は、本発明の第４の実施形態を介しての概略断面図である。
【図１０】図１０は、オストミー連結アダプタの形態をとる第５の実施形態を介しての概略断面図であり、収縮させられた連結部を示す。
【図１１】図１１は、第５の実施形態を介しての概略断面図であり、拡張させられた連結部を示す。
【発明を実施するための形態】
【００１２】
（好ましい実施形態の詳細な説明）
本発明の好ましい実施形態が、添付の図を参照してここに説明される。同一の参照数字は各実施形態において同一のまたは均等の特徴を示すために用いられる。
【００１３】
図１から図４を参照して、オストミー器具は概して身体装備１０（図１から図３）および収集ポーチ２６の形態をとるオストミー装具１２（図４）を備える。身体装備１０は、オストマットの皮膚に取り付けるための、ストーマオリフィス１５を有する粘着性ウエハ１４を備える。粘着性ウエハ１４は、親水コロイドを含有する粘着性物質のような、適切な、皮膚に優しいオストミー粘着性物質を備え得る。適切な粘着性物質はＣｏｎｖａＴｅｃのブランドＳｔｏｍａｈｅｓｉｖｅのＥ．Ｒ．Ｓｑｕｉｂｂ＆Ｓｏｎｓ，Ｌ．Ｌ．Ｃ部門のもとで販売されているものである。身体装備１０は、ストーマオリフィス１５の周りで粘着性ウエハ１４に柔軟な支持環３０によって固定される身体側の連結部１６をさらに備える。身体側の連結部１６は、入口開口部２８の周りで収集ポーチ２６に固定される、相補的な装具側の連結部２２と取り外し可能で取り付け可能にかみ合うように構成される。本発明の実施形態において、連結部１６、２２は、機械的なかみ合い（例えば、機械的なインターロック、またはインターフェイス嵌合）を形成する。身体側の身体連結部１６は、フランジ２０を備え、アンダーカットされた突起１８ａを有する直立リブ１８がそこから突き出る。装具側の連結部２２は直立リブ１８を受容する溝を備える。溝は、直立リブ１８が溝の中に受容されるときに、身体側の連結部１６のアンダーカットされた突起１８ａとインターロックするための相補的な突起（図示されていない）を有する。オプションのグリップタブ２４がオストミー装具１２の操作を支援するために溝から突き出る。２つの連結部１６、２２は、成型されたプラスティックから成り、堅く柔軟で自立した形状を有する。柔軟な支持環３０は、身体側の連結部１６に取り付けられる第１のインターフェイス領域としての外側の円周、および、粘着性ウエハ１４に直接的にまたは間接的に取り付けられる第２のインターフェイス領域としての内側の円周を含む。
【００１４】
柔軟な支持環３０は、身体側の連結部１６が粘着性ウエハ１４に概して接近してまたは接触して嵌合する、収縮させられた位置（図２）と、身体側の連結部１６が粘着性ウエハ１４と距離を置く、拡張させられた位置（図３）との間で、身体側の連結部１６が粘着性ウエハ１４に対して移動することを可能にする。この実施形態において、柔軟な支持環３０は、身体側の連結部１６を、第１の安定した位置としての収縮させられた位置で、また第２の安定した位置としての拡張させられた位置で、安定的に保持する。柔軟な支持環３０は、身体側の連結部１６が粘着性ウエハ１４から離れる方向に移動させられ得るという意味で、身体側の連結部１６に「浮揚性の」特性を与えていると考えられ得る。柔軟な支持環３０および身体側の連結部１６は一体で、浮揚性の連結ユニットと言われ得る。しかしながら、身体側の連結部１６は、身体側の連結部１６が自由に浮揚しているか、または収縮させられた位置に対してのみ片寄っているのではなく、むしろ、柔軟な支持環３０によって双安定な位置に保持されるので、従来技術の意味で「浮揚して」はいない。
【００１５】
拡張させられた位置において、柔軟な支持環３０はフレアのついた３次元の形状を有し、本来的に自立してい得る。フレアのついた形状は、例えば、実質的に円錐（実質的に円錐台）であり得る。柔軟な支持環３０はオプションで自然な形状としてのこの形状に形成され得（例えば、シート材料から熱形成され得、または成型され得）、または柔軟な支持環３０は、様々な形状に形成され得、材料の内部応力によってフレアのついた形状にそれ自身を安定的に保持し得る。拡張させられた位置において、柔軟な支持環３０の内側および外側の円周は、柔軟な支持環３０を介して直通の通路の軸に沿って、実質的に互いから距離を置かれる。
【００１６】
収縮させられた位置において、柔軟な支持環３０は、少なくとも１つの波状またはさざ波状のプリーツ３２のある、波状またはさざ波状の形状を有する。収縮させられた位置は、それ自身、柔軟な支持環３０の安定した位置であり、または柔軟な支持環３０はさらになお収縮させられた位置に向かって片寄せられ得るが、柔軟な支持環３０および／または停止位置として粘着性ウエハ１４にもたれる身体側の連結部１６によって、その位置に到ることは妨げられ得る。柔軟な支持環３０は、収縮させられた形状に形成され得（例えば、成型または熱形成され得）、または材料の内部応力によってこの形状にそれ自身を安定的に保持し得る。収縮させられた位置において、柔軟な支持環３０の内側および外側の円周は、拡張させられた位置においてよりも、軸方向で見れば、ともに接近している。
【００１７】
柔軟な支持環３０はただ２つの安定した形状を有する双安定であり得、またはそれは他の安定した形状を有し得る。柔軟な支持環３０は、収縮させられた形状と拡張させられた形状との間で、加えられた手の指の圧力によって（例えば、オストマットによって）反転され得る。波状またはさざ波状のプリーツ３２は、安定した形状間の反転運動に適応するためにオーバーセンターする。波状またはさざ波状のプリーツ３２の高さまたはプロミネンスは、２つの安定した位置における材料の相対的な安定性を決定する幾何学上のファクターの１つであり得る。
【００１８】
使用に際して、身体装備１０が身体の上に着用されるとき、およびオストマットがオストミー器具１２を取り付けることを望むとき、オストマットは最初に身体側の連結部１６を前に引っ張る（図３の矢印３６）。柔軟な支持環３０は、拡張させられた形状に反転され、ユーザーが片手または両手の、１本以上の指４２を挿入するために、身体側の連結部１６と粘着性ウエハ１４との間に環状のスペース４０を提供する。ユーザーは、身体側の連結部１６を移動させるために非常にわずかな時間、多少の力を加えなければならないが、一旦拡張させられた形状にあれば、ユーザーは身体側の連結部１６の上に全く引っ張り力を維持する必要はなく、それゆえに、身体側の連結部１６は移動させられた、拡張させられた位置にとどまる一方で、下にある皮膚はそのような不快な力を軽減される。これが主要な利点である。
【００１９】
オストミー装具１２を嵌合させるために、ユーザーは次に装具側の連結部２２を押して身体側の連結部１６にかみ合わせ、一方で同時に彼の指４２を用いて身体側の連結部１６を支持し、取り付け力が身体装備１０を介してオストマットの皮膚に伝達されることを軽減する。
【００２０】
一旦オストミー装具１２が嵌合させられると、ユーザーは彼の指４２を環状のスペース４０から移動させ、次にオストミー装具１２を身体装備１０に向かって優しく押す。押す行為が柔軟な支持環３０をその収縮させられた形状に反転し、身体側の連結部１６を粘着性ウエハ１４に接近して嵌合するように引っ張る（図２の矢印３４によって図示される）。柔軟な支持環３０の収縮させられた位置における安定した形状は、オストミー装具１２が粘着性ウエハ１４から離れる方向にたわむことを阻止する。身体装備１０は、それゆえ、手術後の患者管理および日々の使用のために便利に用いられ得る。
【００２１】
柔軟な支持環３０は、各形状の所望の安定性を有する所望の安定形状を提供できる任意の適切な材料から成る。例えば、柔軟な支持環３０はプラスティックフィルムから成り得る。プラスティックフィルムは弾力を持って伸縮可能であり得、または実質的に伸縮不可能であり得る。適切なフィルムは、例えば、厚さが０．００２インチと０．０２０インチとの間にある、エチレンビニルアセテート共重合体（ＥＶＡ）、ポリエチレン（ＰＥ）、またはメタロセンのフィルムを含む。柔軟な支持環３０は、溶接または粘着性の接着のような任意の適切な技術によって、身体側の連結部１６および粘着性ウエハ１４（またはその裏板）に取り付けられる。あるいは、柔軟な支持環３０は、身体側の連結部１６のような身体装備１０の別の構成要素と一体的に形成される（例えば、成型される）。
【００２２】
図５および図６は、身体装備５２とオストミー装具１２との間に嵌合するためのアダプタ５０の形態をとる第２の実施形態を示す。この実施形態において、身体装備５２は、非浮揚性の身体側の連結部５４を有することで前述の身体装備１０と異なる。身体側の連結部５４の少なくとも一部は実質的に粘着性ウエハ１４に対して適所に固定される。アダプタ５０は浮揚性の連結特性を有する身体装備５２を提供し、身体装備５２の融通性を増加させる。
【００２３】
アダプタ５０は、前述の柔軟な支持環３０、身体側の連結部５４への取り付けのための第１の連結部５６、およびオストミー装具１２への取り外し可能な取り付けのための身体側の連結部１６を備える。柔軟な支持環３０は第１の安定した収縮させられた位置（図５）および第２の安定した拡張させられた位置（図６）を有する。柔軟な支持環３０は前述の特徴のいずれかを含み得る。
【００２４】
図７および図８は、第２の実施形態に類似の、アダプタ５０の形態をとる第３の実施形態を示す。第３の実施形態において、主要な相違点は、波状またはさざ波状のプリーツ３２が、第２の実施形態においては身体装備に向かって突き出る（図５）代わりに、装具側に突き出る（図７）ことである。第３の実施形態の形状は以下のうちの１つ以上を可能にする。すなわち、（ｉ）さざ波状のプリーツ３２は、連結部１６、５６のレベル１６ａ、５６ａと比較して相対的に高い高さ３２ａを有し得る。より大きな高さは拡張させられた、および収縮させられた形状の追加の安定性を提供し得、拡張させられた形状にあるときに柔軟な支持環３０のより大きな動程長さを可能にもし得、および／または、（ｉｉ）身体側の連結部１６は、身体側の連結部１６の後部が収縮させられた位置にあるときに第１の連結部５６の前部のレベル５６ａの裏側にあるように、軸方向において、第１の連結部５６と重なり合い得る。これは極端に低いプロファイルを有するアダプタ５０を提供し得る。第３の実施形態のアダプタ５０が身体装備５２に連結されるときは、組立品は、身体装備５２それ自身と実質的に同一のプロファイル高さまたは厚さを有し得る。
【００２５】
図９は、第１の実施形態に類似の、本発明の第４の実施形態を示す。第４の実施形態において、主要な相違点は、身体側の連結部１６および装具側の連結部２２は機械的に取り付け可能ではなく、粘着性のもので取り付け可能なことである。連結部１６、２２の少なくとも１つは、アクリレートベースの剥離可能で再シール可能な粘着性物質のような、剥離可能で再シール可能な粘着性物質を携行する。連結部１６、２２の他方は、また、粘着性物質を携行し得、または粘着性のかみ合いのための概して非粘着性の着地表面を備え得る。第４の実施形態は、身体側の連結部１６を収縮させられた形状において（図示されていない）および拡張させられた形状において（図９）、安定的に保持するための同一の柔軟な支持環３０を含む。
【００２６】
前述の実施形態は、内側および外側のそれぞれの円周において概して様々な直径を有し、拡張させられるときにはフレアのついた形状をとる、柔軟な支持環３０を示す。例えば、第２および第３の実施形態の場合には、これはアダプタ５０がオストミー装具１２を、オストミー装具１２からの様々な直径の連結部を有する身体装備５２に結合することを可能にする。アダプタ５０の身体側の連結部１６の直径と、身体装備５２の身体側の連結部５４の直径とは異なり得る。
【００２７】
図１０および図１１は、第２および第３の実施形態に類似の第５の実施形態を示し、第５の実施形態においては、柔軟な支持環３０は実質的に同一の直径を有する部分間に拡張するということが異なっている。柔軟な支持環３０は、第１の連結部５６に固定された第１の端６０、および身体側の連結部１６に固定された第２の端６２を備える。第１および第２の端６０、６２は実質的に同一の直径からなり、それによりアダプタ５０が、身体装備５２とオストミー装具１２との間において、合致するサイズの連結を有して嵌合することを可能にする。これは、既存の合致するサイズのオストミー構成要素を用いて、十分に対応するモジュール性を提供するので都合がよい。ユーザーはオストミー装具１２を身体装備５２に直接取り付けるか、または（例えば、何らかの理由でストーマが特に傷つきやすい場合に）アダプタ５０をとるかを選択的に選び得る。
【００２８】
第５の実施形態の柔軟な支持環３０は様々な形態を取り得る。図示された１つの形態においては、柔軟な支持環３０は、概して管状であり、伸ばされた状態のときには伸ばされた管を形成し（図１１）、収縮させられた状態のときには折りたたまれた管を形成する（図１０）。柔軟な支持環３０は、折りたたまれ点６８で接触する管部分６４、６６を備え得、一方の部分は収縮させられた状態にある他方の中に収まるように反転され得る。材料、および折りたたまれ点６８の柔軟性は、２つの安定な位置間でのオーバーセンターする移動を可能にし得る。柔軟な支持環３０は、（収縮させられた状態のような）１つの状態で成型され得て、他の状態においては材料中の応力によって安定であり得る。また、前に説明されたように、柔軟な支持環３０は支持の形状を片寄せるために様々な形状に成型され得もする。
【００２９】
柔軟な支持環３０は、収縮させられた位置においては柔軟な支持環３０がアダプタ５０の連結部１６、５６の背中合わせの位置決めを実質的に妨害しないように形成されている（図１０を参照）。例えば、管部分６４、６６は、実質的に連結部１６、５６の１つまたは両方の開口内に受容される。これは、使用時にオストミー装具１２および身体装備５２のプロファイルにアダプタ５０が加算する拡張を制限するように、アダプタ５０が収縮させられた状態における低プロファイル形状をとることを可能にする。管状の柔軟な支持環３０の端は連結部１６、５６の背中合わせの面に取り付けられ得るが、収縮させられた位置において連結部１６、５６に実質的に互いから距離を置かないことが評価される。
【００３０】
第５の実施形態の管状形状の柔軟な支持環３０は、フレアのついた形状の柔軟な支持環３０を採用しないことが望まれるべき、任意の他の実施形態に援用され得る。
【００３１】
説明されていないが、粘着性の連結部は、説明された機械的なかみ合い連結部１６、５６の代わりに、第２および第３の実施形態のアダプタ５０に用いられもし得る。また、説明されていないが、本発明はまた、柔軟な支持環３０に限定されない。均等な支持機能が、他の、環ではない形状の双安定な支持によって達成されもし得る。
【００３２】
多くの修正、改善および均等物が、本発明の特許請求範囲に含まれ得ることが認識される。
【図１】
2010536440.tif 000003
【図２】
2010536440.tif 000004
【図３】
2010536440.tif 000005
【図４】
2010536440.tif 000006
【図５】
2010536440.tif 000007
【図６】
2010536440.tif 000008
【図７】
2010536440.tif 000009
【図８】
2010536440.tif 000010
【図９】
2010536440.tif 000011
【図１０】
2010536440.tif 000012
【図１１】
2010536440.tif 000013
【国際調査報告】
2010536440.tif 000014